(57)【要約】【課題】厚み不良を生じない、非水電解質二次電池の構成を得る。【解決手段】非水電解質二次電池１０は、正極シートおよび負極シート、ならびにこれらを隔離するセパレータを介在させた、平面視略矩形で偏平形状の電極積層体１と、前記正極シートと電気的に接続され、前記電極積層体１の側面から延出した正極タブ２と、前記負極シートと電気的に接続され、前記電極積層体１の側面から延出した負極タブ３と、前記正極タブ２および負極タブ３が延出する方向において、前記電極積層体１の中心部の一方側と他方側とに貼付された固定テープ６とを備える。【選択図】図１
2013145678.tif 000002
【特許請求の範囲】
【請求項１】
正極シートおよび負極シート、ならびにこれらを隔離するセパレータを介在させた、平面視略矩形で偏平形状の電極積層体と、
前記正極シートと電気的に接続され、前記電極積層体の側面から延出した正極タブと、
前記負極シートと電気的に接続され、前記電極積層体の側面から延出した負極タブと、
前記正極タブおよび負極タブが延出する方向において、前記電極積層体の中心部の一方側と他方側とに貼付された固定テープとを備える、非水電解質二次電池。
【請求項２】
前記セパレータは、一枚の帯状のフィルムを前記正極タブおよび前記負極タブが延出する方向と略直交する方向に折り畳んだものであり、
前記正極シートおよび負極シートは、前記折り畳まれたセパレータの間に配置されている、請求項１に記載の非水電解質二次電池。
【請求項３】
前記電極積層体は、外周が前記セパレータで一周以上覆われている、請求項２に記載の非水電解質二次電池。
【請求項４】
前記固定テープの一つは、前記電極積層体の表裏の主面ならびに前記正極タブおよび前記負極タブが延出した側面を通って貼付されている、請求項１〜３のいずれか一項に記載の非水電解質二次電池。
【請求項５】
前記固定テープの一つは、前記電極積層体の表裏の主面ならびに前記正極タブおよび前記負極タブが延出した側面と対向する側面を通って貼付されている、請求項１〜４のいずれか一項に記載の非水電解質二次電池。
【請求項６】
前記正極シートと前記正極タブと、前記負極シートと前記負極タブとは溶接によって接続されており、
前記正極シートと前記正極タブとの溶接個所、および前記負極シートと前記負極タブとの溶接個所を覆う、溶接部保護テープをさらに備える、請求項１〜５のいずれか一項に記載の非水電解質二次電池。
【請求項７】
前記正極シートと前記正極タブと、前記負極シートと前記負極タブとは溶接によって接続されており、
前記固定テープの一つは、前記正極シートと前記正極タブとの溶接個所、前記負極シートと前記負極タブとの溶接個所、前記電極積層体の表裏の主面の一部、ならびに前記電極積層体の前記正極タブおよび前記負極タブが延出した側面の一部を覆って貼付されている、請求項１〜５のいずれか一項に記載の非水電解質二次電池。
【請求項８】
前記固定テープは、前記正極タブおよび前記負極タブ間で折り曲げられることにより、前記電極積層体の表裏の主面ならびに前記正極タブおよび前記負極タブが延出した側面を通って貼付されている、請求項７に記載の非水電解質二次電池。
【発明の詳細な説明】
【技術分野】
【０００１】
本発明は、非水電解質二次電池に関し、さらに詳しくは、薄型の非水電解質二次電池に関する。
【背景技術】
【０００２】
非水電解質二次電池は、高出力・高容量であることから、普及が進んでいる。携帯用機器の多機能化および高機能化に伴い、電源として用いられる非水電解質二次電池には、より高いエネルギー密度が求められている。
【０００３】
非水電解質二次電池は、正極、負極、およびセパレータを積層させた電極積層体と、非水電解質電解液（以下、電解液と言う）とを備える。従来、これらの要素をラミネートシート等の可撓性フィルムに収容した、いわゆるラミネート型電池の構成が知られている。ラミネート型電池は、発電要素を金属ケースに収容した電池と比較して、形状自由度、薄型化、および軽量化において優位性がある。
【０００４】
正極と負極とが直接接触しないように、また、正負極間の距離が変動しないように、正極、負極、およびセパレータの相互間の位置を規制しておく必要がある。位置規制には、電解液および熱に対して耐性のある固定テープが用いられる。
【０００５】
特開２００１−１８５２２４号公報（特許文献１）には、正極板と隔離体と負極板とを偏平状に巻回してなる偏平巻電極を袋状単電池ケースに収納した非水電解質二次電池において、前記偏平巻電極の縦方向を巻き止めテープＡおよび横方向を巻き止めテープＢで巻回されてなることを特徴とする非水電解質二次電池が開示されている。
【先行技術文献】
【特許文献】
【０００６】
【特許文献１】特開２００１−１８５２２４号公報
【発明の概要】
【発明が解決しようとする課題】
【０００７】
近年、携帯用機器には、小型・軽量であることに加えて、高い意匠性が求められている。これらの機器の設計に応じて、非水電解質二次電池にも種々の形状のものが求められている。例えば、電池全体の厚さが３ｍｍを切るような薄型の非水電解質二次電池が開発されている。
【０００８】
このような薄型の非水電解質二次電池の場合、固定テープの厚さを無視することができない。固定テープは、その貼付位置によっては、厚み不良の原因となり得る。
【０００９】
本発明の目的は、厚み不良を生じない、非水電解質二次電池の構成を得ることである。
【課題を解決するための手段】
【００１０】
ここに開示する非水電解質二次電池は、正極シートおよび負極シート、ならびにこれらを隔離するセパレータを介在させた、平面視略矩形で偏平形状の電極積層体と、前記正極シートと電気的に接続され、前記電極積層体の側面から延出した正極タブと、前記負極シートと電気的に接続され、前記電極積層体の側面から延出した負極タブと、前記正極タブおよび負極タブが延出する方向において、前記電極積層体の中心部の一方側と他方側とに貼付された固定テープとを備える。
【発明の効果】
【００１１】
正極および負極は、充放電に伴って膨張・収縮する。また、非水電解質二次電池は、電解液の蒸発や分解等によって膨張する場合がある。これらの体積変化は可逆的なものであるが、充放電を繰り返すことで変形が蓄積し、回復しない場合がある。このような体積変化（膨張）は、電極積層体の中心部において最も大きくなる。従って、この部分に固定テープが貼付されていると、膨張した厚さと固定テープの厚さとによって、電池全体の厚さが規定値を超え、厚み不良を生じる可能性が高まる。
【００１２】
上記の構成によれば、固定テープは、正極タブおよび負極タブが延出する方向において、電極積層体の中心部の一方側と他方側とに貼付されている。すなわち、固定テープは、正極タブおよび負極タブが延出する方向において、電極積層体の中心部には貼付されていない。したがって、厚み不良を生じにくい。
【００１３】
本発明によれば、厚み不良を生じない、非水電解質二次電池の構成が得られる。
【図面の簡単な説明】
【００１４】
【図１】図１は、本発明の第１の実施形態にかかる非水電解質二次電池の概略構成を示す平面図である。
【図２】図２は、本発明の第１の実施形態にかかる非水電解質二次電池の概略構成を示す組立図である。
【図３】図３は、図２におけるＡ−Ａ’線に沿った電極積層体の断面図であって、電極積層体の構成例を示す図である。
【図４】図４は、本発明の効果を説明するための図である。
【図５】図５は、他の電極積層体の構成例を示す図である。
【図６】図６は、他の電極積層体の構成例を示す図である。
【図７】図７は、他の電極積層体の構成例を示す図である。
【図８】図８は、本発明の第２の実施形態にかかる非水電解質二次電池の概略構成を示す組立図である。
【図９】図９は、本発明の第３の実施形態にかかる非水電解質二次電池の概略構成を示す組立図である。
【図１０】図１０は、本発明の第３の実施形態にかかる非水電解質二次電池の構成を説明するための図である。
【図１１】図１１は、本発明の第４の実施形態にかかる非水電解質二次電池の概略構成を示す組立図である。
【図１２】図１２は、本発明の第４の実施形態にかかる非水電解質二次電池の構成を説明するための図である。
【発明を実施するための形態】
【００１５】
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１６】
［第１の実施形態］
図１は、本発明の第１の実施形態にかかる非水電解質二次電池１０の概略構成を示す平面図である。図２は、非水電解質二次電池１０の組立図である。非水電解質二次電池１０は、電極積層体１、正極タブ２、負極タブ３、タブ被覆部４、ラミネート外装体５、固定テープ６、および溶接部保護テープ７を備えている。
【００１７】
電極積層体１は、詳しい構成は後述するが、正負の電極シートを、セパレータを介して積層させたものである。電極積層体１は、平面視略矩形で、偏平形状に形成されている。
【００１８】
電極積層体１の一つの側面から、正極タブ２および負極タブ３が延出している。正極タブ２は、電極積層体１の正極シートと、電気的に接続されている。負極タブ３は、電極積層体１の負極シートと、電気的に接続されている。
【００１９】
正極タブ２としては、アルミニウム、チタン等を用いることができる。負極タブ３としては、銅、ニッケル、ステンレス等を用いることができる。
【００２０】
電極積層体１には、正極シート、負極シート、およびセパレータの相互間の位置を規制するために、固定テープ６が貼付されている。詳しくは後述するが、固定テープ６は、セパレータの収縮を抑制する役割も担っている。
【００２１】
固定テープ６の一方は、電極積層体１の表裏の主面ならびに正極タブ２および負極タブ３が延出した側面を通って貼付されている。固定テープ６の他方は、電極積層体１の表裏の主面ならびに正極タブ２および負極タブ３が延出した側面と対向する側面を通って貼付されている。正極タブ２および負極タブ３が延出する方向において、電極積層体１の中心部には、固定テープ６は貼付されていない。
【００２２】
固定テープ６は、電解液や熱に耐性のあるものが好ましく、ポリプロピレン（ＰＰ）、ポリイミド（ＰＩ）等の粘着テープを用いることができる。固定テープ６は、薄いものが好ましい。固定テープ６の厚さは、好ましくは８０μｍ以下である。より好ましくは６０μｍ以下であり、さらに好ましくは４０μｍ以下である。
【００２３】
電極積層体１は、ラミネート外装体５の内部に図示しない電解液とともに収容されている。正極タブ２および負極タブ３は、ラミネート外装体５の一つの辺から外部に引き出されている。
【００２４】
電解液としては、有機溶媒にリチウム塩を溶解させた溶液を用いることができる。有機溶媒としては、ビニレンカーボネート（ＶＣ）、プロピレンカーボネート（ＰＣ）、エチレンカーボネート（ＥＣ）、ブチレンカーボネート（ＢＣ）、ジメチルカーボネート（ＤＭＣ）、ジエチルカーボネート（ＤＥＣ）、メチルエチルカーボネート（ＭＥＣ）、およびγ‐ブチロラクトン等から、一種類または二種類以上を混合して用いることができる。リチウム塩としては、ＬｉＰＦ６、ＬｉＢＦ４、またはＬｉＮ（ＣＦ３ＳＯ２）２等を用いることができる。
【００２５】
ラミネート外装体５は、図２に示すように、一枚のフィルム状のラミネートシートを折り曲げて、その周縁部５ａを溶着して袋状にしたものである。なお、ラミネート外装体５は、二枚のフィルム状のラミネートシートを重ね合わせて、その周縁部を溶着して袋状にしたものであっても良い。
【００２６】
ラミネートシートは、詳しい構成は図示していないが、内側樹脂層、バリア層、外側樹脂層等を含む多層構造を有している。内側樹脂層は、溶着のための層で、例えば、ポリオレフィンで形成されている。バリア層は、外部からの水分等の侵入を防ぐための層で、例えば、アルミニウム、ニッケル等の金属、ステンレス等の合金、酸化アルミニウム等の金属酸化物で形成されている。外側樹脂層は、摩擦や薬液等からバリア層を保護するための層で、ポリエステル、ポリアミド等で形成されている。これらの他、各層の間にはこれらを繋ぐ接着層が形成されている。
【００２７】
正極タブ２および負極タブ３のまわりには、タブ被覆部４が形成されている。より詳しくは、正極タブ２および負極タブ３のまわりであって、ラミネート外装体５の周縁部５ａと接触する部分に、タブ被覆部４が形成されている。タブ被覆部４は、正極タブ２とラミネート外装体５とを密着させ、負極タブ３とラミネート外装体５とを密着させて、封止性能を高める。タブ被覆部４はまた、ラミネート外装体５の溶着時に、正極タブ２または負極タブ３とラミネート外装体５の金属部分とが短絡するのを防止して、歩留まりを向上させる。
【００２８】
タブ被覆部４は、絶縁性があり、正極タブ２および負極タブ３と、ラミネート外装体５との両方との密着性に優れるものが好ましい。タブ被覆部４として、アイオノマー等の変性ポリオレフィン、変性ポリオレフィン／ポリオレフィンの多層構造を有するものを用いることができる。
【００２９】
正極タブ２と正極シートとは溶接によって接続されている。同様に、負極タブ３と負極シートとは、溶接によって接続されている。これらの溶接部分を覆って、溶接部保護テープ７が貼付されている。溶接部保護テープ７は、溶接部分の凹凸がラミネート外装体５に転写されたり、溶接部分の凹凸によってラミネート外装体５が傷ついたりするのを防止する。
【００３０】
溶接部保護テープ７としては、ＰＰ、ＰＩ等の粘着テープを用いることができる。
【００３１】
溶接部保護テープ７は、正極タブ２および負極タブ３の片面にだけ貼付されていても良いし、両面に貼付されていても良い。両面に貼付されている場合、１枚のテープを正極タブ２または負極タブ３のまわりに一周以上巻回したものでも良いし、２枚のテープを両側から貼り合せたものでも良い。また、溶接部保護テープ７は、タブ被覆部４と一部重なっていても良い。溶接部保護テープ７とタブ被覆部４との重なりは、好ましくは０．７５ｍｍ以下である。より好ましくは０．５ｍｍ以下であり、さらに好ましくは０．２５ｍｍ以下である。
【００３２】
図３は、図２におけるＡ−Ａ’線に沿った電極積層体１の断面図であって、電極積層体１の構成例を示す図である。電極積層体１は、正極シート１１、負極シート１２、およびセパレータ１３を備えている。
【００３３】
正極シート１１は、詳しい構成は図示していないが、集電体と、集電体の片面または両面に形成された電極合剤層とを備えている。
【００３４】
正極の集電体としては、アルミニウム、チタン等の箔、平織金網、エキスパンドメタル、ラス網、またはパンチングメタル等を用いることができる。正極の電極合剤層は、活物質と、導電助剤と、バインダとを有機溶媒中で混合してスラリーを調整し、これを集電体に塗布して乾燥させた後、加圧成型して形成される。正極の活物質としては、マンガン酸リチウム、リチウムニッケル複合酸化物、リチウムコバルト複合酸化物、リチウムニッケルコバルト複合酸化物、酸化バナジウム、または酸化モリブデン等を用いることができる。正極の導電助剤としては、黒鉛、カーボンブラック、またはアセチレンブラック等を用いることができるが、主成分としてカーボンブラックを用いることが好ましい。正極のバインダとしては、ＰＩ、ポリアミドイミド、ポリアミドバインダ、ポリテトラフルオロエチレン（ＰＴＦＥ）ディスパージョン、ＰＴＦＥ粉末、ゴム系バインダ、またはポリフッ化ビニリデン（ＰＶＤＦ）等を用いることができるが、ＰＶＤＦを用いることが好ましい。
【００３５】
負極シート１２は、詳しい構成は図示していないが、銅等の金属からなる集電体と、集電体の片面または両面に形成された電極合剤層とを備えている。
【００３６】
負極の集電体としては、銅、ニッケル、ステンレス等の箔、平織金網、エキスパンドメタル、ラス網、またはパンチングメタル等を用いることができる。負極の電極合剤層は、活物質と、バインダとを純水中で混合してスラリーを調整し、これを集電体に塗布して乾燥させた後、加圧成型して形成される。負極の活物質としては、天然黒鉛、メソフェーズカーボン、または非晶質カーボン等を使用することができる。負極のバインダとしては、カルボキシメチルセルロース（ＣＭＣ）、ヒドロキシプロピルセルロース（ＨＰＣ）等のセルロースや、スチレンブタジエンゴム（ＳＢＲ）、アクリル等のゴムバインダを、単独または混合して用いることができる。
【００３７】
セパレータ１３としては、ＰＰ、ポリエチレン（ＰＥ）、ポリエチレンテレフタレート（ＰＥＴ）、ポリブチレンテレフタレート（ＰＢＴ）、またはポリフェニルサルフィド（ＰＰＳ）等の、多孔性フィルムや不織布を用いることができる。セパレータ１３は、事故等によって異常な発熱が起こった場合に、空孔が閉塞することで電池の反応を停止させる、いわゆるシャットダウン特性を有していることが好ましい。
【００３８】
電極積層体１は、正極シート１１、セパレータ１３、負極シート１２、およびセパレータ１３をこの順で積層させ、正極タブ２および負極タブ３（図３には不図示）が延出する方向のまわりに巻回し、さらにこれを加圧して偏平形状にしたものである。
【００３９】
固定テープ６は、正極シート１１、負極シート１２、およびセパレータ１３の終端部分に貼付されている。これにより、巻回された正極シート１１、負極シート１２、およびセパレータ１３がほどけないように固定されている。
【００４０】
［非水電解質二次電池１の製造方法］
以下、非水電解質二次電池１の製造方法を説明する。
【００４１】
まず、正極シート１１および負極シート１２を作製する。正極シート１１および負極シート１２は、集電体の片面または両面に電極合剤層を形成することで作製される。
【００４２】
次に、正極シート１１と正極タブ２とを接続する。同様に、負極シート１２と負極タブ３とを接続する。正極タブ２および負極タブ３にはあらかじめ、タブ被覆部４を形成しておく。
【００４３】
正極タブ２と正極シート１１との接続は、正極シート１１の集電体の露出部分と、正極タブ２とを溶接することによって行う。具体的には、抵抗溶接、レーザー溶接、超音波溶接等によって行うことができる。リード等を介して接続しても良い。負極タブ３と負極シート１２との接続も、同様にして行う。これらの溶接部分を覆って、溶接部保護テープ７を貼付する。
【００４４】
本実施形態では、正極シート１１と正極タブ２との接続、および負極シート１２と負極タブ３との接続を溶接により行っているが、これらの接続は、カシメや、導電性接着材等によって行っても良い。これらの場合も、溶接の場合と同様に、接続部分を保護するためのテープを貼付することが好ましい。
【００４５】
次に、正極シート１１、セパレータ１３、負極シート１２、セパレータ１３をこの順で積層し、渦巻状に巻回して電極積層体１を作製する。その後、電極積層体１を加圧して偏平形状にする。その後、電極積層体１に、固定テープ６を貼付する。
【００４６】
次に、図２に示すように、電極積層体１を包むようにラミネートシートを折り曲げて重ね合わせる。そして、重ね合わせたラミネートシートの周縁部５ａを、電解液の注入口を残して溶着し、ラミネート外装体５を形成する。
【００４７】
ラミネート外装体５を形成後、電解液を注入する。そして、ラミネート外装体５の電解液を注入した辺を溶着してラミネート外装体５を完全に封止する。溶着は、ラミネート外装体５内を減圧して行うことが好ましい。
【００４８】
以上、本実施形態にかかる非水電解質二次電池１０の構成および製造方法を説明した。
【００４９】
図４を参照して、本発明の効果を説明する。図４（ａ−１）は、本実施形態にかかる非水電解質二次電池１０の電極積層体１を抜き出して模式的に示した平面図である。図４（ａ−２）はその右側面図である。図４（ａ−３）は、電極積層体１が膨張して電極積層体１’となった場合を模式的に示した右側面図である。非水電解質二次電池１０の構成によれば、正極タブ２および負極タブ３が延出する方向において、電極積層体１の中心部には、固定テープ６は貼付されていない。
【００５０】
図４（ｂ−１）〜図４（ｂ−３）は、本発明の効果を説明するための仮想的な比較例に係る非水電解質二次電池についての図である。この非水電解質二次電池では、固定テープ６に代えて、電極積層体１の中心部を通る固定テープ６０を、電極積層体１に貼付している。
【００５１】
正極シート１１および負極シート１２は、充放電に伴って膨張・収縮する。また、非水電解質二次電池１０は、電解液の蒸発や分解等によって膨張する場合がある。これらの体積変化は可逆的なものであるが、充放電を繰り返すことで変形が蓄積し、回復しない場合がある。このような体積変化（膨張）は、図４（ａ−３）に示すように、電極積層体１の中心部において最も大きくなる。図４（ａ−３）と図４（ｂ−３）との比較からも明らかなように、電極積層体１の中心部に固定テープが貼付されていると、膨張した厚さと固定テープの厚さとによって、電池全体の厚さが規定値を超え、厚み不良を生じる可能性が高まる。
【００５２】
すなわち、非水電解質二次電池１０は、体積膨張が最も大きい電極積層体１の中心部に固定テープ６を貼付しないことによって、厚み不良が生じるのを防止している。
【００５３】
本実施形態ではまた、固定テープ６の一方が、電極積層体１の表裏の主面ならびに正極タブ２および負極タブ３が延出した側面を通って貼付されている。また、固定テープ６の他方が、電極積層体１の表裏の主面ならびに正極タブ２および負極タブ３が延出した側面と対向する側面を通って貼付されている。この構成は、以下に説明するように、セパレータ１３の収縮を効果的に防止して、非水電解質二次電池１０の安全性を高める。
【００５４】
セパレータ１３は、既述のようにシャットダウン特性を有していることが好ましい。セパレータ１３は、シャットダウン時に熱収縮を起こす。セパレータ１３には、一般的に、等方的に収縮する材料が用いられる。しかし、電極積層体１は、正極タブ２および負極タブ３が延出する方向のまわりに巻回されているため、セパレータ１３も巻回された方向に張力を受けている。これにより、巻回された方向と垂直な方向への収縮率が大きくなる。
【００５５】
本実施形態では、固定テープ６を、この収縮方向に略垂直な側面と、電極積層体１の表裏の主面とに貼付して固定することで、収縮を効果的に抑制している。したがって、本実施形態によれば、安全性の高い電池の構成が得られる。
【００５６】
本実施形態では、固定テープ６を、巻回した電極積層体１の終端部分に貼付している。これは、電極積層体１がほどけるのを有効に防止できるため好ましい位置である。また、ラミネート外装体５の周縁部５ａを溶着する際に、セパレータ１３等を噛みこむのを防止できる点でも好ましい位置である。ただし、固定テープ６の貼付位置は、これに限定されない。
【００５７】
また、本実施形態では、巻回した電極積層体１の終端部分を正極タブ２と負極タブ３との間に配置しているが、この場所も任意である。
【００５８】
非水電解質二次電池１０は、さらに、正極シート１１と正極タブ２との溶接部、および負極シート１２と負極タブ３との溶接部を保護する溶接部保護テープ７を備えている。溶接部保護テープ７により、溶接部分の凹凸がラミネート外装体５に転写されたり、溶接部分の凹凸によってラミネート外装体５が傷ついたりするのを防止できる。
【００５９】
［第１の実施形態の変形例］
非水電解質二次電池１０は、電極積層体１に代えて、以下に説明する電極積層体１Ａ、１Ｂ、および１Ｃのいずれかを備えていても良い。
【００６０】
図５は、電極積層体１Ａの概略構成を示す断面図である。電極積層体１Ａは、正極シート１１Ａ、負極シート１２Ａ、およびセパレータ１３Ａを備えている。
【００６１】
電極積層体１Ａでは、複数の短冊状の正極シート１１Ａおよび負極シート１２Ａが、セパレータ１３Ａを間に介して、交互に積層されている。
【００６２】
電極積層体１Ａは、電極積層体１と比較して、熱を放出させやすい構成である。
【００６３】
図６は、電極積層体１Ｂの概略構成を示す断面図である。電極積層体１Ｂは、電極積層体１Ａのセパレータ１３Ａに代えて、セパレータ１３Ｂを備えている。
【００６４】
セパレータ１３Ｂは、一枚の帯状のフィルムを、正極タブ２および負極タブ３が延出する方向と略直交する方向に折り畳んだものである。正極シート１１Ａおよび負極シート１２Ａは、折り畳まれたセパレータ１３Ｂの間に交互に配置されている。
【００６５】
電極積層体１Ｂの構成によれば、正極シート１１Ａおよび負極シート１２Ａの端部のいずれかが、セパレータ１３Ｂによって覆われている。これにより、正極シート１１Ａと負極シート１２Ａとの端部における短絡を防ぐことができる。
【００６６】
図７は、電極積層体１Ｃの概略構成を示す断面図である。電極積層体１Ｃは、電極積層体１Ａのセパレータ１３Ａに代えて、セパレータ１３Ｃを備えている。
【００６７】
セパレータ１３Ｃは、セパレータ１３Ｂと同様に、一枚の帯状のフィルムを、正極タブ２および負極タブ３が延出する方向と略直交する方向に折り畳んだものである。正極シート１１Ａおよび負極シート１２Ａは、折り畳まれたセパレータ１３Ｃの間に交互に配置されている。
【００６８】
セパレータ１３Ｃは、さらに、電極積層体１Ｃの外周を一周巻回して覆っている。そして、終端が固定テープ６によって固定されている。
【００６９】
電極積層体１Ｃの構成によれば、ラミネート外装体５の周縁部５ａを溶着する際、セパレータの終端を噛みこむ等の不具合をなくすことができる。これにより、製造時の作業性を向上させることができる。
【００７０】
なお、電極積層体１Ｂおよび１Ｃの場合、セパレータ１３Ｂ／１３Ｃは、折り畳まれた方向に張力を受けている。そのため、セパレータ１３Ｂ／１３Ｃが熱収縮する場合、折り畳まれた方向と垂直な方向への収縮率が大きくなる。従って、電極積層体１の場合と同様に、固定テープ６を、この収縮方向に略垂直な側面と、電極積層体１Ｂ／１Ｃの表裏の主面とに貼付して固定することで、収縮を効果的に抑制することができる。
【００７１】
［第２の実施形態］
図８は、本発明の第２の実施形態にかかる非水電解質二次電池２０の、概略構成を示す組立図である。非水電解質二次電池２０は、非水電解質二次電池１０と比較して、固定テープの構成が異なる。非水電解質二次電池２０は、固定テープ６に代えて、固定テープ６Ａを備えている。
【００７２】
固定テープ６Ａは、固定テープ６と異なり、セパレータ１３の終端部分であって、電極積層体１の主面にのみに貼付されている。固定テープ６Ａは、電極積層体１の、正極タブ２および負極タブ３が延出する側面ならびにこの側面と対向する側面には貼付されていない。
【００７３】
本実施形態の場合も、正極タブ２および負極タブ３が延出する方向において、電極積層体１の中心部には、固定テープ６Ａは貼付されていない。これにより、厚み不良が生じるのを防止することができる。
【００７４】
非水電解質二次電池２０は、要求される仕様によって、正極タブ２と負極タブ３との間隔を非常に狭くしなければならない場合がある。正極タブ２と負極タブ３とが延出する側面にテープを貼付しようすると、テープが正極タブ２または負極タブ３と干渉したり、溶接部保護テープ７と重なったりする場合がある。この場合、テープによって非水電解質二次電池２０の厚さが増加してしまう。また、テープを貼りつける工程を機械によって自動化しようとする場合に、複雑な機構が必要となる。
【００７５】
本実施形態の固定テープ６Ａの構成であれば、正極タブ２、負極タブ３、および溶接部保護テープ７等と干渉することなく、また、比較的容易に貼付することができる。
【００７６】
非水電解質二次電池２０は、電極積層体１に代えて、電極積層体１Ｃを備えていても良い。
【００７７】
［第３の実施形態］
図９は、本発明の第３の実施形態にかかる非水電解質二次電池３０の、概略構成を示す組立図である。非水電解質二次電池３０は、非水電解質二次電池１０の固定テープ６の一方を、固定テープ６Ｂに置き換えたものである。
【００７８】
固定テープ６Ｂは、正極シート１１と正極タブ２との溶接個所、負極シート１２と負極タブ３との溶接個所、電極積層体１の表裏の主面の一部、ならびに電極積層体１の正極タブ２および負極タブ３が延出した側面の一部を覆って貼付されている。
【００７９】
すなわち、非水電解質二次電池３０では、固定テープ６Ｂが、溶接部保護テープの役割を兼ねている。非水電解質二次電池３０は、溶接部保護テープを別個に備えていても良いし、溶接部保護テープを省略しても良い。溶接部保護テープを別個に備えれば、溶接部の保護をより確実にできる。溶接部保護テープを省略すれば、厚さを低減できるとともに、製造工程を簡略化できる。
【００８０】
固定テープ６Ｂは、図１０に示すように、正極タブ２および負極タブ３の両側から、２枚のテープを貼り合せて形成されている。
【００８１】
非水電解質二次電池３０は、電極積層体１に代えて、電極積層体１Ａ、１Ｂ、および１Ｃのいずれかを備えていても良い。
【００８２】
［第４の実施形態］
図１１は、本発明の第４の実施形態にかかる非水電解質二次電池４０の、概略構成を示す組立図である。非水電解質二次電池４０は、非水電解質二次電池１０の固定テープ６の一方を、固定テープ６Ｃに置き換えたものである。
【００８３】
固定テープ６Ｃについて、図１２を用いて説明する。図１２（ａ）および図１２（ｂ）は、非水電解質二次電池４０の構成から固定テープ６Ｃの周りを抜き出して示した斜視図である。図１２（ｃ）は、その右側面図である。
【００８４】
図１２（ａ）に示すように、固定テープ６Ｃは、正極タブ２と負極タブ３との間隔に対応した２つのスリット６Ｃａを備えている。固定テープ６Ｃは、まず、電極積層体１の一方の主面、正極タブ２と負極タブ３とが延出した側面、正極シート１１と正極タブ２との溶接部分、および負極シート１２と負極タブ３との溶接部分を覆って貼付される。次に、図１２（ｂ）に示すように、固定テープ６の２つのスリット６Ｃａの間の部分を、正極タブ２および負極タブ３の間で折り曲げる。そして、固定テープ６の２つのスリット６Ｃａの間の部分を、電極積層体１の、正極タブ２と負極タブ３とが延出した側面および他方の主面に貼付する。
【００８５】
これにより、図１２（ｃ）に示すように、固定テープ６Ｃは、正極シート１１と正極タブ２との溶接部、および負極シート１２と負極タブ３との溶接部を覆うとともに、電極積層体１の表裏の主面ならびに正極タブ２および負極タブ３が延出した側面を通って貼付される。
【００８６】
非水電解質二次電池４０においても、非水電解質二次電池３０と同様に、固定テープ６Ｃが、溶接部保護テープの役割を兼ねている。非水電解質二次電池４０は、溶接部保護テープを別個に備えていても良いし、溶接部保護テープを省略しても良い。
【００８７】
非水電解質二次電池４０の構成によれば、固定テープ６Ｃは、電極積層体１の表裏の主面ならびに正極タブ２および負極タブ３が延出した側面を通って貼付されている。固定テープ６Ｃを、収縮率の大きい方向に略垂直な側面と、電極積層体１の表裏の主面とに貼付して固定することで、収縮を効果的に抑制することができる。
【００８８】
また、非水電解質二次電池４０の構成によれば、非水電解質二次電池３０の構成に比べて、製造工程を簡略化することができる。
【００８９】
非水電解質二次電池４０は、電極積層体１に代えて、電極積層体１Ａ、１Ｂ、および１Ｃのいずれかを備えていても良い。
【００９０】
［その他の実施形態］
以上、本発明についての実施形態を説明したが、本発明は上述の各実施形態にのみ限定されず、発明の範囲内で種々の変更が可能である。また、上述した各実施形態は、適宜組み合わせて実施が可能である。
【００９１】
また、本明細書では、非水電解質二次電池１０〜４０が、リチウムイオン二次電池である場合を例示してきた。本発明は、非水電解質二次電池１０〜４０が、リチウムイオン二次電池である場合に特に有用である。しかし、本発明はこれに限定されず、発明の趣旨の範囲で種々の非水電解質二次電池として実施が可能である。
【産業上の利用可能性】
【００９２】
本発明は、非水電解質二次電池として産業上の利用が可能である。
【符号の説明】
【００９３】
１０，２０，３０，４０  非水電解質二次電池、１，１Ａ，１Ｂ，１Ｃ  電極積層体、１１，１１Ａ  正極シート、１２，１２Ａ  負極シート、１３，１３Ａ，１３Ｂ，１３Ｃ  セパレータ、２  正極タブ、３  負極タブ、４  タブ被覆部、５  ラミネート外装体、６，６Ａ，６Ｂ，６Ｃ，６０  固定テープ、７  溶接部保護テープ
【図１】
2013145678.tif 000003
【図２】
2013145678.tif 000004
【図３】
2013145678.tif 000005
【図４】
2013145678.tif 000006
【図５】
2013145678.tif 000007
【図６】
2013145678.tif 000008
【図７】
2013145678.tif 000009
【図８】
2013145678.tif 000010
【図９】
2013145678.tif 000011
【図１０】
2013145678.tif 000012
【図１１】
2013145678.tif 000013
【図１２】
2013145678.tif 000014